(57)【要約】【課題】ソースに応じてトーンコントロールの設定値を切り替えた場合であっても、トーンコントロール処理による適正な音域増減効果が得られないことがある。【解決手段】音響装置を、音源の周波数特性を計算する計算手段と、計算された周波数特性に基づいて調整帯域を設定する設定手段と、設定された調整帯域の出力ゲインを調整する調整手段とを備える構成とする。【選択図】図４
2018133637.tif 000002
【特許請求の範囲】
【請求項１】
音源の周波数特性を計算する計算手段と、
計算された周波数特性に基づいて調整帯域を設定する設定手段と、
設定された調整帯域の出力ゲインを調整する調整手段と、
を備える、
音響装置。
【請求項２】
前記計算手段は、
前記音源の再生帯域の上限周波数値を計算し、
前記設定手段は、
計算された上限側周波数値に基づいて高音域側中心周波数を設定し、
設定された高音域側中心周波数に基づいて高音域側の調整帯域を設定する、
請求項１に記載の音響装置。
【請求項３】
前記高音域側中心周波数は、
前記上限側周波数値が低いほど、低い周波数に設定される、
請求項２に記載の音響装置。
【請求項４】
前記計算手段は、
前記音源の再生帯域の下限周波数値を計算し、
前記設定手段は、
計算された下限周波数値に基づいて低音域側中心周波数を設定し、
設定された低音域側中心周波数に基づいて低音域側の調整帯域を設定する、
請求項１から請求項３の何れか一項に記載の音響装置。
【請求項５】
前記低音域側中心周波数は、
前記下限側周波数値が高いほど、高い周波数に設定される、
請求項４に記載の音響装置。
【請求項６】
前記設定手段は、
前記高音域側中心周波数に基づいてＱ値を設定し、
設定されたＱ値及び前記高音域側中心周波数に基づいて前記高音域側の調整帯域を設定する、
請求項２を引用する、請求項３から請求項５の何れか一項に記載の音響装置。
【請求項７】
前記設定手段は、
人の聴感を考慮した所定の関数を用いて前記Ｑ値を設定する、
請求項６に記載の音響装置。
【請求項８】
前記Ｑ値は、
前記高音域側中心周波数が低いほど、小さい値に設定される、
請求項７に記載の音響装置。
【請求項９】
前記低音域側の調整帯域は、
Ｑ値が固定値である、
請求項４を引用する、請求項５から請求項８の何れか一項に記載の音響装置。
【請求項１０】
音源の周波数特性を計算する計算ステップと、
計算された周波数特性に基づいて調整帯域を設定する設定ステップと、
設定された調整帯域の出力ゲインを調整する調整ステップと、
を含む、
音質調整方法。
【請求項１１】
前記計算ステップにて、
前記音源の再生帯域の上限周波数値を計算し、
前記設定ステップにて、
計算された上限側周波数値に基づいて高音域側中心周波数を設定し、
設定された高音域側中心周波数に基づいて高音域側の調整帯域を設定する、
請求項１０に記載の音質調整方法。
【請求項１２】
前記高音域側中心周波数は、
前記上限側周波数値が低いほど、低い周波数に設定される、
請求項１１に記載の音質調整方法。
【請求項１３】
前記計算ステップにて、
前記音源の再生帯域の下限周波数値を計算し、
前記設定ステップにて、
計算された下限周波数値に基づいて低音域側中心周波数を設定し、
設定された低音域側中心周波数に基づいて低音域側の調整帯域を設定する、
請求項１０から請求項１２の何れか一項に記載の音質調整方法。
【請求項１４】
前記低音域側中心周波数は、
前記下限側周波数値が高いほど、高い周波数に設定される、
請求項１３に記載の音質調整方法。
【請求項１５】
前記設定ステップにて、
前記高音域側中心周波数に基づいてＱ値を設定し、
設定されたＱ値及び前記高音域側中心周波数に基づいて前記高音域側の調整帯域を設定する、
請求項１１を引用する、請求項１２から請求項１４の何れか一項に記載の音質調整方法。
【請求項１６】
前記設定ステップにて、
人の聴感を考慮した所定の関数を用いて前記Ｑ値を設定する、
請求項１５に記載の音質調整方法。
【請求項１７】
前記Ｑ値は、
前記高音域側中心周波数が低いほど、小さい値に設定される、
請求項１６に記載の音質調整方法。
【請求項１８】
前記低音域側の調整帯域は、
Ｑ値が固定値である、
請求項１３を引用する、請求項１４から請求項１７の何れか一項に記載の音質調整方法。
【発明の詳細な説明】
【技術分野】
【０００１】
本発明は、音響装置及び音質調整方法に関する。
【背景技術】
【０００２】
低音域（ＢＡＳＳ）と高音域（ＴＲＥＢＬＥ）の周波数特性を調整するトーンコントロール機能が知られている。例えば特許文献１に、トーンコントロール機能を備えた音響装置の具体的構成が記載されている。
【０００３】
特許文献１に記載の音響装置は、ソース（例えばラジオ、ＣＤ等の音源）毎に個別のトーンコントロール設定情報を記憶しており、セレクタによって選択されたソースに対応する設定情報を読み出してオーディオ信号にトーンコントロール処理を施す。
【先行技術文献】
【特許文献】
【０００４】
【特許文献１】特開２０００−６９５８４号公報
【発明の概要】
【発明が解決しようとする課題】
【０００５】
しかし、デジタルメディアの普及に伴い、オーディオ信号に対してソースに応じたトーンコントロール処理を施すだけでは、トーンコントロール処理による適正な低音域／高音域の増減効果が得られないことがある。例示的には、ＵＳＢ（Universal Serial Bus）メモリ等に記憶された楽曲ファイルでは、フォーマットや圧縮率等が楽曲ファイル毎に異なる場合がある。この場合、同一ソース（ＵＳＢメモリ）であっても再生帯域が楽曲ファイル毎に異なる。
【０００６】
図５の上段、下段は、それぞれ、楽曲ファイルＡ、Ｂの再生帯域とトーンコントロール（低音域／高音域）との関係を示す図である。図５の上段、下段に示される帯部分は、それぞれ、楽曲ファイルＡ、Ｂの再生帯域を示している。楽曲ファイルＡの再生帯域は、２０Ｈｚ〜２０ｋＨｚである。楽曲ファイルＢは、楽曲ファイルＡよりも圧縮率が高くなっており、再生帯域が２０Ｈｚ〜７．５ｋＨｚである。トーンコントロール処理される低音域側の調整帯域（以下、「低音域側ＴＣ帯域」と記す。）は、中心周波数が７０Ｈｚに設定されている。トーンコントロール処理される高音域側の調整帯域（以下、「高音域側ＴＣ帯域」と記す。）は、中心周波数が１０ｋＨｚに設定されている。
【０００７】
図５に示されるように、楽曲ファイルＡでは、トーンコントロール処理による低音域／高音域の増減効果が得られる一方、楽曲ファイルＢでは、再生帯域の上限が高音域側ＴＣ領域の中心周波数（１０ｋＨｚ）に達しないため、トーンコントロール処理による適正な高音域の増減効果が得られない。このように、同一ソース（ＵＳＢメモリ）であってもトーンコントロール処理による適正な低音域／高音域の増減効果が得られないことがある。
【０００８】
本発明は上記の事情に鑑みてなされたものであり、その目的とするところは、トーンコントロール処理による適正な音域増減効果を得るのに好適な音響装置及び音質調整方法を提供することである。
【課題を解決するための手段】
【０００９】
本発明の一実施形態に係る音響装置は、音源の周波数特性を計算する計算手段と、計算された周波数特性に基づいて調整帯域を設定する設定手段と、設定された調整帯域の出力ゲインを調整する調整手段とを備える。
【００１０】
また、本発明の一実施形態において、計算手段は、音源の再生帯域の上限周波数値を計算し、設定手段は、計算された上限側周波数値に基づいて高音域側中心周波数を設定し、設定された高音域側中心周波数に基づいて高音域側の調整帯域を設定する構成としてもよい。
【００１１】
また、本発明の一実施形態において、高音域側中心周波数は、例えば、上限側周波数値が低いほど、低い周波数に設定される。
【００１２】
また、本発明の一実施形態において、計算手段は、音源の再生帯域の下限周波数値を計算し、設定手段は、計算された下限周波数値に基づいて低音域側中心周波数を設定し、設定された低音域側中心周波数に基づいて低音域側の調整帯域を設定する構成としてもよい。
【００１３】
また、本発明の一実施形態において、低音域側中心周波数は、例えば、下限側周波数値が高いほど、高い周波数に設定される。
【００１４】
また、本発明の一実施形態において、設定手段は、高音域側中心周波数に基づいてＱ値を設定し、設定されたＱ値及び高音域側中心周波数に基づいて高音域側の調整帯域を設定する構成としてもよい。
【００１５】
また、本発明の一実施形態において、設定手段は、人の聴感を考慮した所定の関数を用いてＱ値を設定する構成としてもよい。
【００１６】
また、本発明の一実施形態において、Ｑ値は、例えば、高音域側中心周波数が低いほど、小さい値に設定される。
【００１７】
また、本発明の一実施形態において、例えば、低音域側の調整帯域はＱ値が固定値である。
【００１８】
また、本発明の一実施形態に係る音質調整方法は、音源の周波数特性を計算する計算ステップと、計算された周波数特性に基づいて調整帯域を設定する設定ステップと、設定された調整帯域の出力ゲインを調整する調整ステップとを含む。
【発明の効果】
【００１９】
本発明の実施形態によれば、トーンコントロール処理による適正な音域増減効果を得るのに好適な音響装置及び音質調整方法が提供される。
【図面の簡単な説明】
【００２０】
【図１】本発明の一実施形態に係る音響装置の構成を示すブロック図である。
【図２】本発明の一実施形態に係る音響装置にて実行される音質調整処理のフローチャートを示す図である。
【図３】トーンコントロール特性とＱ値との関係を説明する図である。
【図４】各種オーディオ信号に対して図２に示される音質調整処理を実行したときの、再生帯域とトーンコントロール（低音域／高音域）との関係を示す図である。
【図５】従来のトーンコントロール処理について説明する図である。
【発明を実施するための形態】
【００２１】
以下、図面を参照して、本発明の一実施形態に係る音響装置について説明する。
【００２２】
図１は、本発明の一実施形態に係る音響装置１の構成を示すブロック図である。図１に示されるように、音響装置１は、例えば車載型音響装置であり、音源部１０、ＤＳＰ（Digital Signal Processor）２０、アンプ３０、スピーカ４０、マイクロコンピュータ５０及び操作部６０を備えている。なお、図１は、便宜上、主に、音質調整処理（後述の図２）の説明に必要な構成要素を抽出した簡素なブロック図となっている。音響装置１は車載型装置に限らず、家庭用や業務用の据置型音響装置であってもよく、また、スマートフォンやタブレットＰＣ等に内蔵されている音響装置（すなわち携帯可能な音響装置）であってもよい。
【００２３】
音源部１０は、ＣＤ、ＤＶＤ Audio、ＳＡＣＤ等のディスクメディアに格納されているオーディオ信号、ＨＤＤ、ＵＳＢ等のストレージメディアに格納されているオーディオ信号、又はインターネット上のサーバからストリーミングされるオーディオ信号を再生してＤＳＰ２０に出力する。
【００２４】
ＤＳＰ２０は、音源部１０より入力されるオーディオ信号に対し、イコライジング処理、トーンコントロール処理、スピーカ補正処理、コンプレッション処理、フェード・バランス処理、サラウンド処理等の各種信号処理を施してアンプ３０に出力する。
【００２５】
アンプ３０は、ＤＳＰ２０より入力されるオーディオ信号を増幅してスピーカ４０に出力する。増幅されたオーディオ信号は、スピーカ４０によって音に変換されて出力される。
【００２６】
ここで、図５に示される問題点は、同一ソースであっても再生帯域が大きく変わることがあるにも拘わらずトーンコントロール処理の電気的制御が常時一定であるために発生しているものと考えられる。そのため、本実施形態に係る音響装置１は、ソースの種別に応じてトーンコントロールを設定するのではなく、オーディオ信号の再生帯域を検知し、検知された再生帯域に応じてトーンコントロール（具体的には、低音域／高音域の中心周波数及びＱ値）を設定することにより、トーンコントロール処理による適正な音域増減効果を得るよう構成されている。以下、この構成について具体的に説明する。
【００２７】
［音質調整処理］
図２は、音響装置１にて実行される音質調整処理のフローチャートを示す図である。図２に示される音質調整処理は、例えば、音響装置１の電源がオンされると実行が開始され、音響装置１の電源がオフされると実行が終了する。
【００２８】
［図２のＳ１１（低音域用／高音域用パラメータ値のリセット）］
ＤＳＰ２０は、ＦＦＴ（Fast Fourier Transform）部２２、ＢＡＳＳコントロール部２４及びＴＲＥＢＬＥコントロール部２６を有している。
【００２９】
本処理ステップＳ１１では、マイクロコンピュータ５０の内蔵メモリ５２に保持されている、低音域用及び高音域用パラメータ値がリセットされる。低音域用及び高音域用パラメータ値については後述する。
【００３０】
［図２のＳ１２（ＦＦＴの実行）］
音源部１０による音源再生が始まると、音源部１０からＦＦＴ部２２にオーディオ信号が入力される。本処理ステップ１２では、ＦＦＴ部２２にてＦＦＴが実行されて、オーディオ信号が時間領域から周波数領域に変換される。
【００３１】
［図２のＳ１３（ユーザ操作の判定）］
本処理ステップＳ１３では、マイクロコンピュータ５０にて、ユーザによる操作部６０を用いたトーンコントロール操作が行われたか否かが判定される。トーンコントロール操作が行われるまで、処理ステップＳ１２〜Ｓ１３がループする。
【００３２】
［図２のＳ１４（再生帯域の検知）］
本処理ステップＳ１４は、処理ステップＳ１３（ユーザ操作の判定）にてトーンコントロール操作が行われたと判定された場合（Ｓ１３：ＹＥＳ）に実行される。本処理ステップＳ１４では、再生中のオーディオ信号の再生帯域が検知される。具体的には、ＦＦＴ部２２にて、ＦＦＴ後のスペクトルデータから再生帯域の上限周波数値（以下、「上限周波数ｆＨ」と記す。）及び下限周波数値（以下、「下限周波数ｆＬ」と記す。）が検知されて、マイクロコンピュータ５０に与えられる。一例として、上限周波数ｆＨ及び下限周波数ｆＬは、ピークホールド処理によって検知される。
【００３３】
［図２のＳ１５（低音域用パラメータ値の設定）］
本処理ステップＳ１５では、マイクロコンピュータ５０にて、低音域用パラメータ値が設定される。低音域用パラメータには次のパラメータが含まれる。
【００３４】
《低音域用パラメータ》
（１）低音域側ＴＣ帯域の中心周波数ｆＣＢ
（２）低音域側ＴＣ帯域のＱ値（ＱＷＢ値）
【００３５】
（１）低音域側ＴＣ帯域の中心周波数ｆＣＢ
中心周波数ｆＣＢは、次式に示されるように、処理ステップＳ１４（再生帯域の検知）にて検知された再生帯域の下限周波数ｆＬに基づいて設定される。
ｆＬ＜２８Ｈｚ          ：ｆＣＢ＝７０Ｈｚ（固定値）
ｆＬ＞４０Ｈｚ          ：ｆＣＢ＝１００Ｈｚ（固定値）
２８Ｈｚ≦ｆＬ≦４０Ｈｚ：ｆＣＢ＝２．５ｆＬ（７０Ｈｚ〜１００Ｈｚの可変値）
【００３６】
上記式に示されるように、原則、再生帯域の下限周波数ｆＬが高いほど中心周波数ｆＣＢは高い周波数に設定される。なお、中心周波数ｆＣＢを設定する上記式は、主に、低音域におけるボーカル成分を考慮して決められている。
【００３７】
中心周波数ｆＣＢは、ボーカルの基音や母音を変えずに低音域の質感を出すため、１００Ｈｚ以下の値に設定されている。１００Ｈｚを超える中心周波数ｆＣＢで低音域側ＴＣ帯域が設定されると、例えばボーカルの声質そのものが変化してしまう。すなわち、中心周波数ｆＣＢが１００Ｈｚを超えると、トーンコントロール処理による適正な低音域の増減効果が得られない。
【００３８】
また、中心周波数ｆＣＢは、人の聴感を考慮して、低音域の量感を耳で実感することができる７０Ｈｚ以上の値に設定されている。７０Ｈｚ未満については、身体で感じられるサブウーファの領域であるものとして、中心周波数ｆＣＢの設定範囲からは除外している。
【００３９】
なお、中心周波数ｆＣＢの上限値（１００Ｈｚ）及び下限値（７０Ｈｚ）は一例である。これらについては、詳細な検討を重ねることによって更に適切な値が設定され得る。
【００４０】
（２）低音域側ＴＣ帯域のＱ値（ＱＷＢ値）
ＱＷＢ値は、次式に示されるように、下限周波数ｆＬに拘わらず固定値である。
ＱＷＢ＝１．５
【００４１】
ここで、図３に、トーンコントロール特性（図３のカーブ）とＱ値との関係を説明する図を示す。トーンコントロール特性は、Ｑ値が大きいほど鋭いピークを持つ特性（半値幅の狭い特性）となり、Ｑ値が小さいほど緩やかなピークを持つ特性（半値幅の広い特性）となる。Ｑ値は、次式によって示される。
Ｑ値＝設定中心周波数ｆＣ／帯域幅ｆＷ
但し、帯域幅ｆＷは、設定中心周波数ｆＣに位置するピークから３ｄＢ下がったレベルにおけるトーンコントロール特性の幅
【００４２】
［図２のＳ１６（高音域用パラメータ値の設定）］
本処理ステップＳ１６では、マイクロコンピュータ５０にて、高音域用パラメータ値が設定される。高音域用パラメータには次のパラメータが含まれる。
【００４３】
《高音域用パラメータ》
（１）高音域側ＴＣ帯域の中心周波数ｆＣＴ
（２）高音域側ＴＣ帯域のＱ値（ＱＷＴ値）
【００４４】
（１）高音域側ＴＣ帯域の中心周波数ｆＣＴ
中心周波数ｆＣＴは、次式に示されるように、処理ステップＳ１４（再生帯域の検知）にて検知された再生帯域の上限周波数ｆＨに基づいて設定される。
ｆＨ＜４ｋＨｚ            ：ｆＣＴ＝２ｋＨｚ（固定値）
ｆＨ＞２０ｋＨｚ          ：ｆＣＴ＝１０ｋＨｚ（固定値）
４ｋＨｚ≦ｆＨ≦２０ｋＨｚ：ｆＣＴ＝ｆＨ／２（２ｋＨｚ〜１０ｋＨｚの可変値）
【００４５】
上記式に示されるように、原則、再生帯域の上限周波数ｆＨが低いほど中心周波数ｆＣＴは低い周波数に設定される。なお、中心周波数ｆＣＴを設定する上記式は、主に、高音域におけるボーカル成分を考慮して決められている。
【００４６】
中心周波数ｆＣＴは、ボーカルの基音や母音を変えずに明るさや華やかさの質感を出すため、２ｋＨｚ以上の値に設定されている。２ｋＨｚ未満の中心周波数ｆＣＴで高音域側ＴＣ帯域が設定されると、例えばボーカルの声質そのものが変化してしまう。すなわち、中心周波数ｆＣＴが２ｋＨｚ未満では、トーンコントロール処理による適正な高音域の増減効果が得られない。
【００４７】
また、例えば、再生帯域が２０ｋＨｚを超えるハイレゾリューションオーディオにおいて１０ｋＨｚを超える中心周波数ｆＣＴを設定しても、聴取者がトーンコントロール処理による高音域の増減効果を感じ難い。中心周波数ｆＣＴは、このような人の聴感を考慮して、高音域の量感を耳で実感しやすい１０ｋＨｚ以下の値に設定されている。
【００４８】
なお、中心周波数ｆＣＴの上限値（１０ｋＨｚ）及び下限値（２ｋＨｚ）は一例である。これらについては、詳細な検討を重ねることによって更に適切な値が設定され得る。
【００４９】
（２）高音域側ＴＣ帯域のＱ値（ＱＷＴ値）
ＱＷＴ値は、オーディオ信号に対して高音域に対するトーンコントロール処理を施した場合に、対数特性を持つ人の聴感と周波数領域においてリニアな特性を持つ電気エネルギーとの関係を、高音域側ＴＣ帯域の位置に拘わらず一定に保つのに適した値に設定される。従って、ＱＷＴ値は、例えば、あるＱＷＴ値での電気エネルギーと聴覚的な高音域量感の実感と、これよりも低い中心周波数ｆＣＴに応じたＱＷＴ値での電気エネルギーと聴覚的な高音域量感の実感と、を合わせる値に設定される。すなわち、ＱＷＴ値は、人の聴感を考慮して（特に、何れの高音域を増減させた場合であっても聴感上のエネルギーが等価になるように）、次の関数を用いて設定される。
２ｋＨｚ≦ｆＣＴ≦２．７ｋＨｚ      ：ＱＷＴ＝１．０
２．７ｋＨｚ＜ｆＣＴ≦３．５ｋＨｚ  ：ＱＷＴ＝１．１
３．５ｋＨｚ＜ｆＣＴ≦５ｋＨｚ      ：ＱＷＴ＝１．２
５ｋＨｚ＜ｆＣＴ≦７ｋＨｚ          ：ＱＷＴ＝１．３
７ｋＨｚ＜ｆＣＴ＜１０ｋＨｚ        ：ＱＷＴ＝１．４
ｆＣＴ＝１０ｋＨｚ                  ：ＱＷＴ＝１．５
【００５０】
上記式に示されるように、ＱＷＴ値は、中心周波数ｆＣＴ（言い換えると、再生帯域の上限周波数ｆＨ）に基づいて設定される。ＱＷＴ値は、原則、中心周波数ｆＣＴが低いほど小さい値に設定される。従って、高音域において中心周波数ｆＣＴが低いほどトーンコントロール特性の半値幅が広がるようにＱＷＴ値が設定され、中心周波数ｆＣＴが高いほどトーンコントロール特性の半値幅が狭くなるようにＱＷＴ値が設定される。
【００５１】
［図２のＳ１７（トーンコントロール処理の実行）］
処理ステップＳ１５（低音域用パラメータ値の設定）にて設定された低音域用パラメータ値は、マイクロコンピュータ５０からＢＡＳＳコントロール部２４に与えられる。また、処理ステップＳ１６（高音域用パラメータ値の設定）にて設定された高音域用パラメータ値は、マイクロコンピュータ５０からＴＲＥＢＬＥコントロール部２６に与えられる。本処理ステップＳ１７では、音源部１０より入力されるオーディオ信号に対し、ＢＡＳＳコントロール部２４にて低音域用パラメータ値を用いたトーンコントロール処理が実行され、次いで、ＴＲＥＢＬＥコントロール部２６にて高音域用パラメータ値を用いたトーンコントロール処理が実行される。
【００５２】
以上の各処理ステップが実行されることにより、低音域及び高音域について適正にトーンコントロール処理された音がスピーカ４０より出力される。なお、処理ステップＳ１７（トーンコントロール処理の実行）の実行後、マイクロコンピュータ５０の内蔵メモリ５２内の低音域用及び高音域用パラメータ値がリセットされ（Ｓ１１）、ユーザによる次のトーンコントロール操作が行われるまで、ＦＦＴ部２２によるＦＦＴが繰り返される（Ｓ１２〜Ｓ１３）。
【００５３】
図４の上段は、ＵＳＢメモリに格納された圧縮オーディオ信号（以下、便宜上「オーディオ信号ａ」と記す。）に対して図２に示される音質調整処理を実行したときの、再生帯域とトーンコントロール（低音域／高音域）との関係を示す図である。図４の中段は、ＵＳＢメモリに格納された圧縮オーディオ信号（図４の上段のオーディオ信号より高圧縮なオーディオ信号であり、以下、便宜上「オーディオ信号ｂ」と記す。）に対して図２に示される音質調整処理を実行したときの、再生帯域とトーンコントロール（低音域／高音域）との関係を示す図である。図４の下段は、ストリーミング配信されているインターネットラジオの圧縮オーディオ信号（以下、便宜上「オーディオ信号ｃ」と記す。）に対して図２に示される音質調整処理を実行したときの、再生帯域とトーンコントロール（低音域／高音域）との関係を示す図である。オーディオ信号ａの再生帯域は、２０Ｈｚ〜２０ｋＨｚである。オーディオ信号ｂの再生帯域は、２０Ｈｚ〜３．７５ｋＨｚである。オーディオ信号ｃの再生帯域は、３０Ｈｚ〜１０ｋＨｚである。
【００５４】
図４の上段の例では、下限周波数ｆＬが２０Ｈｚであり、上限周波数ｆＨが２０ｋＨｚである。そのため、低音域側ＴＣ帯域に関し、中心周波数ｆＣＢが７０Ｈｚに設定されると共にＱＷＢ値が１．５に設定される。また、高音域側ＴＣ帯域に関し、中心周波数ｆＣＴが１０ｋＨｚに設定されると共にＱＷＴ値が１．５に設定される。本例では、オーディオ信号ａの再生帯域（下限周波数ｆＬ及び上限周波数ｆＨ）に応じて、低音域側ＴＣ帯域及び高音域側ＴＣ帯域が当該再生帯域内の適正な位置に設定されるため、トーンコントロール処理による適正な音域増減効果が得られる。
【００５５】
図４の中段の例では、下限周波数ｆＬが２０Ｈｚであり、上限周波数ｆＨが３．７５ｋＨｚである。そのため、本例において中心周波数ｆＣＴを図４の上段の例と同じ１０ｋＨｚに設定してしまうと、再生帯域の上限周波数ｆＨを超える領域でトーンコントロール処理を行うことになり、トーンコントロール処理による適正な高音域の増減効果が得られない。
【００５６】
しかし、図２に示される音質調整処理を実行することにより、本例では、中心周波数ｆＣＴがオーディオ信号ｂの再生帯域内である２ｋＨｚに設定される。そのため、高音域側ＴＣ帯域が再生帯域内の適正な位置に設定され、トーンコントロール処理による適正な音域増減効果が得られる。また、ＱＷＴ値は、スピーカ４０より出力される音のエネルギーが他の例（図４の上段及び図４の下段の例）と聴感上等価になるように、１．０に設定される。低音域側ＴＣ帯域については、図４の上段の例と同じく、中心周波数ｆＣＢが７０Ｈｚに設定されると共にＱＷＢ値が１．５に設定される。すなわち、本例においても、オーディオ信号ｂの再生帯域（下限周波数ｆＬ及び上限周波数ｆＨ）に応じて、低音域側ＴＣ帯域及び高音域側ＴＣ帯域が当該再生帯域内の適正な位置に設定されるため、トーンコントロール処理による適正な音域増減効果が得られる。
【００５７】
図４の下段の例では、下限周波数ｆＬが３０Ｈｚであり、上限周波数ｆＨが１０ｋＨｚである。そのため、低音域側ＴＣ帯域に関し、中心周波数ｆＣＢが７５Ｈｚに設定されると共にＱＷＢ値が１．５に設定される。また、高音域側ＴＣ帯域に関し、中心周波数ｆＣＴが５ｋＨｚに設定されると共にＱＷＴ値が１．２に設定される。本例においても、オーディオ信号ｃの再生帯域（下限周波数ｆＬ及び上限周波数ｆＨ）に応じて、低音域側ＴＣ帯域及び高音域側ＴＣ帯域が当該再生帯域内の適正な位置に設定されるため、トーンコントロール処理による適正な音域増減効果が得られる。
【００５８】
このように、本実施形態によれば、オーディオ信号の再生帯域（下限周波数ｆＬ及び上限周波数ｆＨ）に応じて低音域用及び高音域用パラメータ値が適正な値に設定される。そのため、オーディオ信号のソースやフォーマットに拘わらずトーンコントロール処理による適正な音域増減効果が得られる。
【００５９】
以上が本発明の例示的な実施形態の説明である。本発明の実施形態は、上記に説明したものに限定されず、本発明の技術的思想の範囲において様々な変形が可能である。例えば明細書中に例示的に明示される実施例等又は自明な実施例等を適宜組み合わせた内容も本願の実施形態に含まれる。
【００６０】
低音域側ＴＣ帯域では、高音域側ＴＣ帯域と比べると、Ｑ値の変更に応じた聴感上のエネルギーの変化に人は鈍感である。そのため、上記の実施形態では、ＱＷＢ値を固定値とすることにより、図２に示される音質調整処理を簡略化している。別の実施形態では、再生帯域の下限周波数ｆＬに応じてＱＷＢ値を可変させてもよい。例示的には、ＱＷＢ値は、音質等を考慮して高音域側ＴＣ帯域のＱＷＴ値と同じく、中心周波数ｆＣＢが低いほど小さい値に設定される。すなわち、Ｑ値は、低音域側ＴＣ帯域と高音域側ＴＣ帯域の両方のＴＣ帯域で可変であってもよい。また、低音域側ＴＣ帯域でのみＱ値が可変な構成も本発明の範疇である。
【００６１】
また、本発明は、低音域側ＴＣ帯域や高音域側ＴＣ帯域だけでなく、これらの間に位置する中音域に対してトーンコントロール処理する場合にも適用することができる。
【符号の説明】
【００６２】
１  音響装置
１０  音源部
２０  ＤＳＰ
２２  ＦＦＴ部
２４  ＢＡＳＳコントロール部
２６  ＴＲＥＢＬＥコントロール部
３０  アンプ
４０  スピーカ
５０  マイクロコンピュータ
５２  内蔵メモリ
６０  操作部
【図１】
2018133637.tif 000003
【図２】
2018133637.tif 000004
【図３】
2018133637.tif 000005
【図４】
2018133637.tif 000006
【図５】
2018133637.tif 000007